(57)【特許請求の範囲】
【請求項１】
画像が形成されない周縁部を有する記録媒体の画像形成手段によって画像を形成する被画像形成領域を指定する指定情報、及び前記周縁部を示す周縁部情報を記憶した記憶手段と、
画像の全体を前記記録媒体に形成することを指示する指示情報を受け付ける指示情報受付手段と、
前記指示情報受付手段によって前記指示情報が受け付けられた場合、前記記憶手段に記憶されている指定情報により指定された前記被画像形成領域に拘らず、入力された加工対象の画像情報により示される画像の全体が前記記憶手段に記憶されている周縁部情報により示される前記周縁部よりも内側の内側領域に前記画像形成手段によって形成されるように該画像情報を加工し、前記指示情報受付手段によって前記指示情報が受け付けられなかった場合、入力された加工対象の前記画像情報により示される画像の全体のうちの前記記憶手段に記憶されている指定情報により指定された前記被画像形成領域に対応する対応領域に含まれる画像が前記画像形成手段によって前記内側領域に形成されるように該画像情報を加工する加工手段と、
を含む画像情報処理装置。
【請求項２】
前記加工手段は、画像の全体を前記記録媒体に形成することが指示された場合、更に、入力された加工対象の前記画像情報により示される画像の全体が、該画像の全体を含む予め定められた画像領域の縦及び横の長さ及び前記内側領域の縦及び横の長さに基づいて決定された倍率で拡大または縮小されるように該画像情報を加工する請求項１記載の画像情報処理装置。
【請求項３】
前記倍率を、前記画像領域の縦の長さに対する前記内側領域の縦の長さの割合と該画像領域の横の長さに対する該内側領域の横の長さの割合とのうちの小さい方の割合とした請求項２記載の画像情報処理装置。
【請求項４】
前記指定情報を受け付ける受付手段を更に含み、
前記受付手段によって受け付けられた指定情報を前記記憶手段に記憶した請求項１〜請求項３の何れか１項に記載の画像情報処理装置。
【請求項５】
前記加工手段によって加工された前記画像情報に基づいて前記画像形成手段によって画像が形成された前記記録媒体の態様を表示する表示手段を更に含む請求項１〜請求項４の何れか１項に記載の画像情報処理装置。
【請求項６】
前記表示手段によって前記態様が表示されてから、該表示手段によって表示された該態様となるように前記画像形成手段によって前記記録媒体に画像が形成されることを許可することを示す許可情報が入力された場合、前記画像形成手段に対して前記加工手段によって加工された前記画像情報に基づく画像を前記記録媒体に形成させるように指示する指示手段を更に含む請求項５記載の画像情報処理装置。
【請求項７】
前記加工手段は、前記指示情報受付手段によって前記指示情報が受け付けられなかった場合、更に、入力された加工対象の前記画像情報により示される画像の全体のうちの前記対応領域に含まれる画像が予め定められた倍率で拡大または縮小されるように該画像情報を加工する請求項１から請求項６の何れか１項に記載の画像情報処理装置。
【請求項８】
請求項１から請求項７の何れか１項に記載の画像情報処理装置と、
前記画像形成手段と、
を含む画像形成システム。
【発明の詳細な説明】
【技術分野】
【０００１】
本発明は、画像情報処理装置、画像形成システム、及びプログラムに関する。
【背景技術】
【０００２】
特許文献１には、印刷データを拡大又は縮小して出力する機能を備える出力装置において、印刷データのうちのマージン部分を除いた画像部分のみの拡大又は縮小を設定する設定手段と、設定手段により画像部分のみの拡大又は縮小が設定されている場合に、印刷データを拡大又は縮小するとともに、印刷データのうちのマージン部分を除いた画像部分についての出力開始位置を、その印刷データの拡大前又は縮小前の画像部分のみの出力開始位置にして、拡大後又は縮小後のデータを出力する制御手段と、を設けたことを特徴とする出力装置が開示されている。
【先行技術文献】
【特許文献】
【０００３】
【特許文献１】特開２００１−９４７６７号公報
【発明の概要】
【発明が解決しようとする課題】
【０００４】
本発明の課題は、記録媒体に画像が形成された際の画像の欠落を回避する、画像情報処理装置、画像形成システム、及びプログラムを提供することである。
【課題を解決するための手段】
【０００５】
上記目的を達成するために、請求項１に記載の画像情報処理装置は、画像が形成されない周縁部を有する記録媒体の画像形成手段によって画像を形成する被画像形成領域を指定する指定情報、及び前記周縁部を示す周縁部情報を記憶した記憶手段と、画像の全体を前記記録媒体に形成することを指示する指示情報を受け付ける指示情報受付手段と、前記指示情報受付手段によって前記指示情報が受け付けられた場合、前記記憶手段に記憶されている指定情報により指定された前記被画像形成領域に拘らず、入力された加工対象の画像情報により示される画像の全体が前記記憶手段に記憶されている周縁部情報により示される前記周縁部よりも内側の内側領域に前記画像形成手段によって形成されるように該画像情報を加工し、前記指示情報受付手段によって前記指示情報が受け付けられなかった場合、入力された加工対象の前記画像情報により示される画像の全体のうちの前記記憶手段に記憶されている指定情報により指定された前記被画像形成領域に対応する対応領域に含まれる画像が前記画像形成手段によって前記内側領域に形成されるように該画像情報を加工する加工手段と、を含んで構成される。
【０００６】
請求項２に記載の画像情報処理装置は、請求項１に記載の発明において、前記加工手段が、画像の全体を前記記録媒体に形成することが指示された場合、更に、入力された加工対象の前記画像情報により示される画像の全体が、該画像の全体を含む予め定められた画像領域の縦及び横の長さ及び前記内側領域の縦及び横の長さに基づいて決定された倍率で拡大または縮小されるように該画像情報を加工するものである。
【０００７】
請求項３に記載の画像情報処理装置は、請求項２に記載の発明において、前記倍率を、前記画像領域の縦の長さに対する前記内側領域の縦の長さの割合と該画像領域の横の長さに対する該内側領域の横の長さの割合とのうちの小さい方の割合としたものである。
【０００８】
請求項４に記載の画像情報処理装置は、請求項１〜請求項３の何れか１項に記載の発明において、前記指定情報を受け付ける受付手段を更に含み、前記受付手段によって受け付けられた指定情報を前記記憶手段に記憶したものである。
【０００９】
請求項５に記載の画像情報処理装置は、請求項１〜請求項４の何れか１項に記載の発明において、前記加工手段によって加工された前記画像情報に基づいて前記画像形成手段によって画像が形成された前記記録媒体の態様を表示する表示手段を更に含むものである。
【００１０】
請求項６に記載の画像情報処理装置は、請求項５に記載の発明において、前記表示手段によって前記態様が表示されてから、該表示手段によって表示された該態様となるように前記画像形成手段によって前記記録媒体に画像が形成されることを許可することを示す許可情報が入力された場合、前記画像形成手段に対して前記加工手段によって加工された前記画像情報に基づく画像を前記記録媒体に形成させるように指示する指示手段を更に含むものである。
【００１３】
請求項７に記載の画像情報処理装置は、請求項１から請求項６の何れか１項に記載の発明において、前記加工手段が、前記指示情報受付手段によって前記指示情報が受け付けられなかった場合、更に、入力された加工対象の前記画像情報により示される画像の全体のうちの前記対応領域に含まれる画像が予め定められた倍率で拡大または縮小されるように該画像情報を加工するものである。
【００１４】
請求項８に記載の画像形成システムは、請求項１から請求項７の何れか１項に記載の画像情報処理装置と、前記画像形成手段と、を含んで構成される。
【００１５】
請求項９に記載のプログラムは、コンピュータを、請求項１から請求項７の何れか１項に記載の画像情報処理装置に含まれる加工手段として機能させるためのものである。
【発明の効果】
【００１６】
請求項１、請求項８及び請求項９に係る発明によれば、記録媒体に画像が形成された際の画像の欠落を回避する、という効果が得られる。また、指示情報受付手段を有しない場合に比べ、画像形成手段によって画像の全体を内側領域に形成させる場合と形成させない場合とが容易に切り替えられる、という効果も得られる。更に、指示情報受付手段によって指示情報が受け付けられなかった場合、入力された加工対象の画像情報により示される画像の全体のうちの記憶手段に記憶されている指定情報により指定された被画像形成領域に対応する対応領域に含まれる画像が画像形成手段によって内側領域に形成されるように画像情報を加工しない場合に比べ、画像形成手段によって画像の全体が内側領域に形成される場合と被画像形成領域に対応する対応領域に含まれる画像が画像形成手段によって内側領域に形成される場合とを容易に切り替えられる、という効果も得られる。
【００１７】
請求項２に係る発明によれば、予め定められた画像領域の縦及び横の長さ及び内側領域の縦及び横の長さに基づいて決定された倍率で画像が拡大または縮小されない場合に比べ、画像形成手段によって画像の全体が内側領域の大きさに合わせて内側領域に容易に形成される、という効果が得られる。
【００１８】
請求項３に係る発明によれば、倍率を、画像領域の縦の長さに対する内側領域の縦の長さの割合と画像領域の横の長さに対する内側領域の横の長さの割合とのうちの小さい方の割合としない場合に比べ、画像形成手段によって画像の全体が内側領域の大きさに合わせて内側領域に容易に形成される、という効果が得られる。
【００１９】
請求項４に係る発明によれば、受付手段を有しない場合に比べ、被画像形成領域が容易に指定される、という効果が得られる。
【００２０】
請求項５に係る発明によれば、表示手段を有しない場合に比べ、画像形成手段によって画像が意図していない領域に形成されることを未然に防止する、という効果が得られる。
【００２１】
請求項６に係る発明によれば、指示手段を有しない場合に比べ、画像形成手段によって画像が意図していない領域に形成されることを未然に防止する、という効果が得られる。
【００２４】
請求項７に係る発明によれば、指示情報受付手段によって指示情報が受け付けられなかった場合、更に、入力された加工対象の画像情報により示される画像の全体のうちの対応領域に含まれる画像が予め定められた倍率で拡大または縮小されない場合に比べ、被画像形成領域に対応する対応領域に含まれる画像が画像形成手段によって内側領域の大きさに合わせて内側領域に容易に形成される、という効果が得られる。
【図面の簡単な説明】
【００２５】
【図１】実施形態に係る画像形成システムの構成の一例を示す概略構成図である。
【図２】実施形態に係るプリンタで用いられるカット紙の一例を示す模式図である。
【図３】実施形態に係る画像形成システムにおいて端末装置またはメインフレームで作成された画像とプリンタによって画像が形成されたカット紙の態様の一例を示す模式図である。
【図４】実施形態に係る画像形成システムにおいて端末装置で作成された画像とプリンタによって画像が形成されたカット紙の態様の一例を示す模式図である。
【図５】第１の実施形態に係る第１の画像形成指示処理プログラムの処理の流れを示すフローチャートである。
【図６】第１の実施形態に係る第１の画像情報処理プログラムの処理の流れを示すフローチャートである。
【図７】実施形態に係る画像形成システムにおいて端末装置またはメインフレームで作成された画像とプリンタによって画像が形成されたカット紙の態様の一例を示す模式図である。
【図８】第１の実施形態に係る第２の画像形成指示処理プログラムの処理の流れを示すフローチャートである。
【図９】第１の実施形態に係る端末装置の表示装置に表示されるダイアログボックスにおいて余白領域設定画面が選択されて表示された場合の表示状態の一例を示す図である。
【図１０】第１の実施形態に係る第２の画像情報処理プログラムの処理の流れを示すフローチャートである。
【図１１】実施形態に係る画像形成システムにおいて端末装置で作成された画像とプリンタによって画像が形成されたカット紙の態様の一例を示す模式図である。
【図１２】第２の実施形態に係る第１の加工命令処理プログラムの処理の流れを示すフローチャートである。
【図１３】第２の実施形態に係る第３の画像情報処理プログラムの処理の流れを示すフローチャートである。
【図１４】第２の実施形態に係る確認処理プログラムの処理の流れを示すフローチャートである。
【図１５】第２の実施形態に係る第２の加工命令処理プログラムの処理の流れを示すフローチャートである。
【図１６】第２の実施形態に係る第４の画像情報処理プログラムの処理の流れを示すフローチャートである。
【図１７】実施形態に係る画像形成システムにおいて端末装置で作成された画像とプリンタによって画像が形成されたカット紙の態様の一例を示す模式図である。
【発明を実施するための形態】
【００２６】
以下、図面を参照して本発明を実施するための形態の一例について詳細に説明する。なお、ここでは、本発明を、メインフレーム、端末装置、及びプリンタが通信手段を介して相互に接続されて構成された画像形成システムに適用した場合について説明する。
【００２７】
［第１の実施形態］
図１には、本第１の実施形態に係る画像形成システム１０の構成の一例を示す概略構成図が示されている。同図に示されるように、画像形成システム１０は、メインフレーム１２、端末装置１４、及びプリンタ１６を含んで構成されている。メインフレーム１２、端末装置１４、及びプリンタ１６は、通信手段（例えばＬＡＮ（Local Area Network））１８を介して相互に接続されている。
【００２８】
メインフレーム１２は、基幹業務システムに用いられる汎用大型コンピュータであり、連続帳票に画像を形成するドットインパクトプリンタ（図示省略）に接続されており、このドットインパクトプリンタの作動を制御するために用いられる。メインフレーム１２は、各種プログラムの処理を実行することによりメインフレーム１２全体を制御するＣＰＵ（中央処理装置）１２Ａ、二次記憶部１２Ｄに記憶されたメインフレーム１２の作動を制御する制御プログラムを読み出すプログラムが予め記憶された記憶媒体であるＲＯＭ（Read Only Memory）１２Ｂ、各種プログラムの実行時のワークエリア等として用いられる記憶媒体であるＲＡＭ（Random Access Memory）１２Ｃ、メインフレーム１２の電源スイッチが切られてもメインフレームの作動を制御する制御プログラムや後述する第１の画像形成指示処理プログラム、各種パラメータ等の各種情報を記憶する不揮発性の記憶媒体である二次記憶部（例えばハードディスク）１２Ｄ、各種画像やメッセージなどを表示する表示装置（例えば液晶ディスプレイ）１２Ｅ、及び利用者によって操作されることによりメインフレーム１２の作動を制御するための指示を受け付ける受付装置（例えばキーボード及びマウス）１２Ｆを含んで構成されている。また、メインフレーム１２は、通信手段１８に接続されて通信手段１８を介して外部装置（例えば端末装置１４やプリンタ１６）と各種情報の授受が行うためのインタフェース（Ｉ／Ｆ）１２Ｇを備えている。
【００２９】
ＣＰＵ１２Ａ、ＲＯＭ１２Ｂ、ＲＡＭ１２Ｃ、二次記憶部１２Ｄ、表示装置１２Ｅ、受付装置１２Ｆ、及びインタフェース１２Ｇは、バス２０を介して相互に接続されている。従って、ＣＰＵ１２Ａは、ＲＯＭ１２Ｂ、ＲＡＭ１２Ｃ、及び二次記憶部１２Ｄに対するアクセスと、表示装置１２Ｅの作動の制御と、受付装置１２Ｆによって受け付けられた各種情報の受信と、インタフェース１２Ｇを介した各種情報の送受信と、を各々行う。
【００３０】
端末装置１４は、一般的なパーソナル・コンピュータであり、通信手段１８を介してプリンタ１６の作動を制御するために用いられる。端末装置１４は、各種プログラムの処理を実行することにより端末装置１４全体を制御するＣＰＵ１４Ａ、二次記憶部１４Ｄに記憶された端末装置１４の作動を制御する制御プログラムを読み出すためのプログラムが予め記憶された記憶媒体であるＲＯＭ１４Ｂ、各種プログラムの実行時のワークエリア等として用いられる記憶媒体であるＲＡＭ１４Ｃ、端末装置１４の作動を制御する制御プログラム、後述する第２の画像形成指示処理プログラム、各種パラメータ、及びプリンタ１６に対応したプリンタドライバとしての第１及び第２の画像情報処理プログラム、並びに画像を作成する文書作成プログラム、表計算プログラム、及び作図プログラムなどの、上記プリンタドライバを介してプリンタ１６に画像形成を指示することにより画像形成処理を実行させる機能を備えたアプリケーション・プログラム（以下、「画像形成機能付きＡＰ」という）等の端末装置１４の電源スイッチが切られても保持しなければならない各種情報を記憶する不揮発性の記憶媒体である二次記憶部（例えばハードディスク）１４Ｄ、各種画像やメッセージなどを表示する表示装置（例えば液晶ディスプレイ）１４Ｅ、及び利用者によって操作されることにより端末装置１４の作動を制御するための指示を受け付ける受付装置（例えばキーボード及びマウス）１４Ｆを含んで構成されている。また、端末装置１４は、通信手段１８に接続されて通信手段１８を介して外部装置（例えばメインフレーム１２やプリンタ１６）と各種情報の授受が行うためのインタフェース（Ｉ／Ｆ）１４Ｇを備えている。
【００３１】
ＣＰＵ１４Ａ、ＲＯＭ１４Ｂ、ＲＡＭ１４Ｃ、二次記憶部１４Ｄ、表示装置１４Ｅ、受付装置１４Ｆ、及びインタフェース１４Ｇは、バス２２を介して相互に接続されている。従って、ＣＰＵ１４Ａは、ＲＯＭ１４Ｂ、ＲＡＭ１４Ｃ、及び二次記憶部１４Ｄに対するアクセスと、表示装置１４Ｅの作動の制御と、受付装置１４Ｆによって受け付けられた各種情報の受信と、インタフェース１４Ｇを介した各種情報の送受信と、を各々行う。
【００３２】
プリンタ１６は、外部から画像を示す画像情報が入力された場合、入力された画像情報により示される画像を記録媒体としてのカット紙に形成するものである。なお、本第１の実施形態では、プリンタ１６としてインクジェットプリンタを採用しているが、これに限らず、サーマル方式のプリンタやゼログラフィ方式のプリンタを採用してもよい。
【００３３】
プリンタ１６は、各種プログラムの処理を実行することによりプリンタ１６全体を制御するＣＰＵ１６Ａ、プリンタ１６の作動を制御する制御プログラムや各種パラメータ等が予め記憶された記憶媒体であるＲＯＭ１６Ｂ、各種プログラムの実行時のワークエリア等として用いられる記憶媒体であるＲＡＭ１６Ｃ、プリンタ１６の電源スイッチが切られても保持しなければならない各種情報を記憶する不揮発性の記憶媒体である二次記憶部（例えばハードディスク）１６Ｄ、利用者によって操作されることによりプリンタ１６の作動を制御するための指示を受け付ける受付部（例えばユーザインタフェースパネル）１６Ｅ、及び用紙に画像を形成する画像形成部１６Ｆを含んで構成されている。また、プリンタ１６は、通信手段１８に接続されて通信手段１８を介して外部装置（例えばメインフレーム１２や端末装置１４）と各種情報の授受が行うためのインタフェース（Ｉ／Ｆ）１６Ｇを備えている。
【００３４】
ＣＰＵ１６Ａ、ＲＯＭ１６Ｂ、ＲＡＭ１６Ｃ、二次記憶部１６Ｄ、受付装置１６Ｅ、画像形成部１６Ｆ及びインタフェース１６Ｇは、バス２４を介して相互に接続されている。従って、ＣＰＵ１６Ａは、ＲＯＭ１６Ｂ、ＲＡＭ１６Ｃ、及び二次記憶部１６Ｄに対するアクセスと、受付装置１６Ｅによって受け付けられた各種情報の受信と、画像形成部１６Ｆの作動の制御と、インタフェース１６Ｇを介した各種情報の送受信と、を各々行う。
【００３５】
図２には、プリンタ１６によって画像が形成されるカット紙Ｐの一例が示されている。同図に示されるように、カット紙Ｐは、矩形状に形成されている。カット紙Ｐは、プリンタ１６によって画像が形成されない周縁部Ｑ（同図では、破線の枠とカット紙Ｐの外周縁を示す実線の枠とに挟まれた領域）を有している。すなわち、カット紙Ｐでは、周縁部Ｑの内周縁（同図の破線の枠）よりも内側の領域（以下、「内側領域」という。）Ｒがプリンタ１６によって画像が形成される対象領域とされている。つまり、プリンタ１６は、カット紙Ｐの周縁部Ｑを示す周縁部情報を所持しており、入力された画像情報により示される画像のうち、周縁部情報により示される周縁部Ｑによって定められる内側領域Ｒに対応する対応領域に含まれる画像のみをカット紙Ｐの内側領域Ｒに形成するように構成されている。なお、本第１の実施形態では、カット紙ＰとしてＡ４の用紙を採用している。また、本第１の実施形態では、周縁部Ｑの内周縁が周縁部Ｑの外周縁（カット紙Ｐの外周縁）に対して所定距離だけ内側に形成される矩形領域であり、周縁部Ｑの内周縁の各辺から周縁部Ｑの外周縁（カット紙Ｐの外周縁）までの距離が４．１ｍｍとされている。また、本第１の実施形態では、カット紙Ｐの周縁部Ｑを示す周縁部情報（例えば、周縁部Ｑの内周縁の各辺から周縁部Ｑの外周縁までの距離を示す情報）がプリンタ１６のＲＯＭ１６Ｂに予め記憶されている。また、同図において、周縁部Ｑの内周縁を示す破線は説明の便宜上図示したものであり、実際にカット紙Ｐに記されているわけではない。
【００３６】
ところで、一般的に、端末装置１４で画像形成機能付きＡＰには、カット紙Ｐにおける画像が形成される被画像形成領域Ｓを利用者に指定させる機能（以下、「指定機能」という。）が含まれている。従って、従来の技術によれば、端末装置１４において、指定機能によってカット紙Ｐの全面（カット紙Ｐの外周縁で囲まれた全領域）を被画像形成領域Ｓとして指定した上で、一例として図３に示すようにプリンタ１６によってカット紙Ｐに形成される画像（同図の例では、被画像形成領域Ｓの正面視左上部の“あ”との文字を示す画像及び被画像形成領域Ｓの正面視右下部の縦長楕円を示す画像）を画像形成機能付きＡＰによって周縁部Ｑと内側領域Ｒとに跨いで作成した場合、このように作成された被画像形成領域Ｓに含まれる画像を示す画像情報が画像形成機能付きＡＰによって生成され、生成された画像情報により示される画像のうちの内側領域Ｒに相当する領域に含まれる画像を示す画像情報がプリンタドライバによって生成され、生成された画像情報がプリンタ１６に送信される。そして、プリンタ１６では、端末装置１４から送信された画像情報により示される画像がカット紙Ｐに形成される。この場合、カット紙Ｐには一例として同図に示すように内側領域Ｒに含まれる画像のみが現れる。つまり、プリンタ１６では、端末装置１４で画像形成機能付きＡＰによって作成された画像が周縁部Ｑに遮られた状態でカット紙Ｐに形成される。
【００３７】
また、端末装置１４において、指定機能によってカット紙Ｐにおける内側領域Ｒの一部（ここでは、内側領域Ｒよりも更に内側の領域であって、Ｒにから所定の距離だけ内側に形成される矩形領域）を被画像形成領域Ｓとして指定した上で、一例として図４に示すようにプリンタ１６によってカット紙Ｐに形成される画像として“あ”との文字を示す画像を被画像形成領域Ｓの正面視左上部に“あ”との文字を示す画像の全体が被画像形成領域Ｓに含まれるように画像形成機能付きＡＰによって作成すると共に、プリンタ１６によってカット紙Ｐに形成される画像として更に縦長楕円を示す画像をカット紙Ｐの正面視右下部に被画像形成領域Ｓと内側領域Ｒと周縁部Ｑとに跨いで作成した場合、このように作成された被画像形成領域Ｓに含まれる画像を示す画像情報が画像形成機能付きＡＰによって生成され、生成された画像情報により示される画像のうちの内側領域Ｒに相当する領域に含まれる画像を示す画像情報がプリンタドライバによって生成され、生成された画像情報がプリンタ１６に送信される。そして、プリンタ１６では、端末装置１４から送信された画像情報により示される画像がカット紙Ｐに形成される。この場合、カット紙Ｐには一例として同図に示すように被画像形成領域Ｓに含まれる画像のみが現れる。つまり、プリンタ１６では、“あ”との文字を示す画像の全体が内側領域Ｒに形成されると共に、端末装置１４で画像形成機能付きＡＰによって作成された画像（ここでは、縦長楕円を示す画像）が被画像形成領域Ｓの外側の領域で遮られた状態でカット紙Ｐに形成される。
【００３８】
このように、端末装置１４で画像形成機能付きＡＰによって画像を形成したとしても、この画像が指定機能によって指定された被画像形成領域Ｓからはみ出ていると、プリンタ１６でカット紙Ｐに画像を形成した場合、そのはみ出ている部分がカット紙Ｐに現れない。また、端末装置１４で画像形成機能付きＡＰによって形成された画像が指定機能によって指定された被画像形成領域Ｓからはみ出ていなかったとしても、画像が内側領域Ｒから食み出ていると、プリンタ１６でカット紙Ｐに画像を形成した場合、そのはみ出ている部分がカット紙Ｐに現れない。
【００３９】
更に、メインフレーム１２は、本来、連続帳票に画像を形成するドットインパクトプリンタに対して用いられるものであるため、指定機能により被画像形成領域Ｓを指定するという機能を有していない。具体的には、図３に示すようにカット紙Ｐの全面（カット紙Ｐの外周縁で囲まれた領域）が被画像形成領域Ｓとして処理するように固定されている。このように構成されたメインフレーム１２で作成された画像をプリンタ１６によってカット紙Ｐに形成させる場合、端末装置１４のプリンタドライバが利用される。例えば、図３に示すようにプリンタ１６によってカット紙Ｐに形成される画像をメインフレーム１２によって周縁部Ｑと内側領域Ｒとに跨いで作成した場合、このように作成された被画像形成領域Ｓに含まれる画像のうちの内側領域Ｒに相当する領域に含まれる画像を示す画像情報がプリンタドライバによって生成され、生成された画像情報がプリンタ１６に送信される。そして、プリンタ１６では、端末装置１４から送信された画像情報により示される画像がカット紙Ｐに形成される。この場合、カット紙Ｐには一例として同図に示すように内側領域Ｒに含まれる画像のみが現れる。つまり、プリンタ１６では、メインフレーム１２で作成された画像が周縁部Ｑに遮られた状態でカット紙Ｐに形成される。
【００４０】
このように、メインフレーム１２で作成された画像が内側領域Ｒからはみ出ていると、プリンタ１６でカット紙Ｐに画像を形成した場合、そのはみ出ている部分がカット紙Ｐに現れない。
【００４１】
そこで、本第１の実施形態に係る画像形成システム１０では、プリンタ１６に画像形成を行わせる際に被画像形成領域Ｓに拘らず画像の全体をカット紙Ｐに形成させるか否かを指示する第１の画像形成指示処理及びこの第１の画像形成指示処理による指示に応じて画像情報を加工する第１の画像情報処理が実行される。
【００４２】
先ず、図５〜図７を参照して、メインフレーム１２によって第１の画像形成指示処理が実行され、端末装置１２によって第１の画像情報処理が実行された場合の画像形成システム１０の作用を説明する。
【００４３】
図５は、メインフレーム１２で作成したデータを端末装置１４を介してプリンタ１６に対して画像形成の指示を行うための準備の指示がメインフレーム１２に対して行われた際にＣＰＵ１２Ａによって実行される第１の画像形成指示処理プログラムの処理の流れを示すフローチャートである。また、ここでは、錯綜を回避するために、プリンタ１６によってカット紙Ｐに形成させる画像がメインフレーム１２によって作成され、作成された画像を示す画像情報が既に二次記憶部１２Ｄの予め定められた記憶領域に記憶されている場合について説明する。
【００４４】
同図のステップ１００では、予め定められたメニュー画面を表示するように表示装置１２Ｅを制御し、次にステップ１０２にて、予め定められた情報の入力の終了待ちを行う。なお、上記ステップ１００では、メニュー画面として、“画像の全体を出力する”との項目が付されたチェックボックスであって画像の全体をカット紙Ｐに出力することを指示するための全体出力指示チェックボックスを有するダイアログボックス（図示省略）を採用している。従って、この全体出力指示チェックボックスに受付装置１２Ｆを介して利用者によってチェック印が入れられることにより、メインフレーム１２Ａで作成された画像情報により示される画像の全体を、被画像形成領域Ｓ（ここでは、カット紙Ｐの外周縁で囲まれた領域）に拘らずプリンタ１６によって内側領域Ｒに形成させることを指示する指示情報が受け付けられることになる。なお、本第１の実施形態では、全体出力指示チェックボックスの初期設定状態（所謂デフォルト状態）として、チェック印が入れられた状態を採用している。
【００４５】
表示装置１２Ｅに上記のダイアログボックスが表示されると、利用者は、全体出力指示チェックボックスに既に入れられているチェック印を消すか又はそのまま維持して、ダイアログボックスに対する入力を終了する指示を受付装置１２Ｆを用いて入力する。これによって上記ステップ１０２が肯定判定となってステップ１０４に移行する。
【００４６】
ステップ１０４では、余白領域設定画面の全体出力指示チェックボックスにチェック印が入れられたことにより指示情報が受け付けられたか否かを判定し、肯定判定となった場合にはステップ１０６に移行する一方、否定判定となった場合にはステップ１０８へ移行する。
【００４７】
ステップ１０６では、指示情報を二次記憶部１２Ｄの予め定められた記憶領域に記憶した後にステップ１０８に移行し、プリンタ１６による画像形成の開始を指示する画像形成開始指示情報の受け付け待ちを行う。受付装置１２Ｆによって画像形成開始指示情報が受け付けられると、上記ステップ１０８が肯定判定となってステップ１１０に移行する。
【００４８】
ステップ１１０では、二次記憶部１２Ｄの予め定められた記憶領域に指示情報が記憶されているか否かを判定し、肯定判定となった場合にはステップ１１２に移行する一方、否定判定となった場合にはステップ１１４に移行する。
【００４９】
ステップ１１２では、二次記憶部１２Ｄの予め定められた記憶領域から画像情報及び指示情報を取得してその記憶領域から画像情報及び指示情報を消去し、取得した画像情報及び指示情報を含んで構成された画像形成指示情報を端末装置１４に送信し、その後に本第１の画像形成指示処理プログラムを終了する。
【００５０】
ステップ１１４では、二次記憶部１２Ｄの予め定められた記憶領域から画像情報を取得してその記憶領域から画像情報を消去し、取得した画像情報を含んで構成された画像形成指示情報を端末装置１４に送信し、その後に本第１の画像形成指示処理プログラムを終了する。
【００５１】
図６は、メインフレーム１２によって送信された画像形成指示情報を受信した際にＣＰＵ１４Ａによって実行される第１の画像情報処理プログラムの処理の流れを示すフローチャートである。また、ここでは、錯綜を回避するために、ＣＰＵ１４Ａによって画像形成指示情報が受信された際に、画像形成指示情報に含まれる画像情報が二次記憶部１４Ｄの予め定められた記憶領域に記憶された場合について説明する。
【００５２】
同図のステップ２００では、受信した画像形成指示情報に指示情報が含まれているか否かを判定し、否定判定となった場合にステップ２０２に移行する一方、肯定判定となった場合にステップ２０４に移行する。
【００５３】
ステップ２０２では、二次記憶部１４Ｄの予め定められた記憶領域に記憶されている画像情報により示される画像のうちのカット紙Ｐの内側領域Ｒに対応する対応領域に含まれる画像情報を生成し、生成した画像情報を加工済み画像情報として二次記憶部１４Ｄの予め定められた記憶領域に記憶し、その後にステップ２１４に移行する。
【００５４】
ステップ２０４では、被画像形成領域Ｓ（本第１の画像情報処理プログラムでは、カット紙Ｐの外周縁で囲まれた領域）の縦の長さに対する内側領域Ｒの縦の長さの割合を示す縦倍率と被画像形成領域Ｓ（本第１の画像情報処理プログラムでは、カット紙Ｐの外周縁で囲まれた領域）の横の長さに対する内側領域Ｒの横の長さの割合を示す横倍率とを算出し、その後にステップ２０６に移行する。
【００５５】
ステップ２０６では、上記ステップ２０４の処理によって算出された縦倍率及び横倍率において横倍率よりも縦倍率が小さいか否かを判定し、肯定判定となった場合にはステップ２０８に移行する一方、否定判定となった場合にはステップ２１０に移行する。
【００５６】
ステップ２０８では、上記ステップ２０４の処理によって算出された縦倍率で二次記憶部１４Ｄの予め定められた記憶領域に記憶されている画像情報により示される画像が拡大または縮小されるようにその画像情報を加工する。なお、本ステップ２０８では、縦倍率＞１の場合、画像が拡大されるように画像情報を加工し、縦倍率＜１の場合、画像が縮小されるように画像情報を加工する。また、縦倍率＝１の場合、画像は拡縮されない。
【００５７】
ステップ２１０では、上記ステップ２０４の処理によって算出された横倍率で二次記憶部１４Ｄの予め定められた記憶領域に記憶されている画像情報により示される画像が拡大または縮小されるようにその画像情報を加工すると共に、周縁部情報に基づいて画像がプリンタ１６によって内側領域Ｒに形成されるようにその画像情報を加工する。なお、本ステップ２１０では、横倍率＞１の場合、画像が拡大されるように画像情報を加工し、横倍率＜１の場合、画像が縮小されるように画像情報を加工する。また、横倍率＝１の場合、画像は拡縮されない。また、本第１の実施形態では、縦倍率＝横倍率の場合も画像は拡縮されない。
【００５８】
ステップ２０８及びステップ２１０の各々では、上記の処理を行った後、ステップ２１２に移行し、ステップ２０８またはステップ２１０の処理によって加工された画像情報を加工済み画像情報として二次記憶部１４Ｄの予め定められた記憶領域に記憶した後、ステップ２１４に移行する。
【００５９】
ステップ２１４では、プリンタ１６によってカット紙Ｐに画像を形成させるための準備の完了待ちを行う。なお、本第１の実施形態に係る画像形成システム１０では、プリンタ１６においてカット紙Ｐに画像を形成するための準備が完了すると、プリンタ１６から端末装置１４に画像情報の送信を要求する要求信号が送信される。上記ステップ２１４では、ＣＰＵ１４Ａがプリンタ１６から送信された要求信号を受信すると、肯定判定となってステップ２１６に移行する。
【００６０】
ステップ２１６では、二次記憶部１４Ｄの予め定められた記憶領域に記憶されている加工済み画像情報をプリンタ１６に送信した後、本第１の画像情報処理プログラムを終了する。
【００６１】
プリンタ１６は、上記ステップ２１６の処理によって送信された加工済み画像情報を受信すると、受信した加工済み画像情報により示される画像をカット紙Ｐの内側領域Ｒに形成する。従って、図３に示すようにメインフレーム１２で画像を作成し、上記ステップ２００の処理によって画像形成指示情報に指示情報が含まれていないと判定された場合（上記ステップ２００において否定判定となった場合）、プリンタ１６によってカット紙Ｐに画像が形成されると、このカット紙Ｐには、従来通り、図３に示すように、メインフレーム１２で作成して得られた画像のうち、内側領域Ｒに含まれる画像のみが現れる。一方、図３に示すようにメインフレーム１２で画像を作成し、上記ステップ２００の処理によって画像形成指示情報に指示情報が含まれていると判定された場合（上記ステップ２００において肯定判定となった場合）、プリンタ１６によってカット紙Ｐに画像が形成されると、このカット紙Ｐには、一例として図７に示すように、カット紙Ｐの外周縁で囲まれた領域に含まれる画像（ここでは、あ”との文字を示す画像及び縦長楕円を示す画像）の全体が内側領域Ｒに現れる。
【００６２】
次に、端末装置１４によって第２の画像形成指示処理が実行された場合の画像形成システム１０の作用を説明する。
【００６３】
図８は、プリンタ１６に対して画像形成の指示を行うための準備の指示が端末装置１４に対して行われた際にＣＰＵ１４Ａによって実行される第２の画像形成指示処理プログラムの処理の流れを示すフローチャートである。また、ここでは、錯綜を回避するために、プリンタ１６によってカット紙Ｐに形成させる画像が端末装置１４によって作成され、作成された画像を示す画像情報が既に二次記憶部１４Ｄの予め定められた記憶領域に記憶されている場合について説明する。
【００６４】
同図のステップ３００では、予め定められたメニュー画面としてダイアログボックスを表示するように表示装置１４Ｅを制御し、次にステップ３０２にて、上記ステップ３００の処理によって表示装置１４Ｅに表示されたダイアログボックスに対する入力の終了待ちを行う。
【００６５】
図９には、上記ステップ３００の処理によって表示装置１４Ｅに表示されるダイアログボックスにおいて、画像が形成されない余白領域を設定するための余白領域設定画面が選択されて表示された場合の表示状態の一例が示されている。同図に示されるように、余白領域設定画面には、プリンタ１６に対する各種条件の設定を行うためのテキストボックス及びチェックボックスなどの入力要素が項目毎に表示されている。テキストボックスとしては、被画像形成領域Ｓを設定するためにカット紙Ｓの各辺からの余白量が入力される余白量テキストボックスが設けられている。また、チェックボックスとしては、余白量テキストボックスへの余白量の入力を許可するための“余白を指定する”との項目の余白指定チェックボックス、カット紙Ｐのサイズ毎に余白量を指定することを指示するための“用紙サイズごとに余白を指定する”との項目のサイズ別余白指定チェックボックス、及び画像の全体をカット紙Ｐに出力することを指示するための“画像の全体を出力する”との項目の全体出力指示チェックボックスが設けられている。この全体出力指示チェックボックスに受付装置１４Ｆを介して利用者によってチェック印が入れられることにより、メインフレーム１４Ａで作成された画像情報により示される画像の全体が、被画像形成領域Ｓ（ここでは、カット紙Ｐの外周縁で囲まれた領域）に拘らずプリンタ１６によって内側領域Ｒに形成されることを指示する指示情報が受け付けられることになる。
【００６６】
なお、余白領域設定画面では、サイズ別余白指定チェックボックスにチェック印が入れられることにより、余白指定の対象となるカット紙Ｐのサイズを示す情報が一覧表示されるため、利用者は、カット紙Ｐのサイズを示す情報の表示エリアをポインティング指定することにより、余白指定の対象となるカット紙Ｐのサイズを指定する。また、本第１の実施形態では、ダイアログボックスの初期設定状態（所謂デフォルト状態）として、各辺の余白量テキストボックスに“４．１ｍｍ”の余白量が入力され、上記の各テキスト選択ボックスにチェック印が入れられた状態を適用している。
【００６７】
表示装置１４Ｅに余白領域設定画面が表示されると、利用者は、余白領域設定画面に表示された入力要素に対して受付装置１４Ｆを介して入力を行った後、ダイアログボックスの最下に表示されている“ＯＫ”ボタンを受付装置１４Ｆによりポインティング指定する。これによって上記ステップ３０２が肯定判定となってステップ３０４に移行する。
【００６８】
ステップ３０４では、余白領域設定画面の全体出力指示チェックボックスにチェック印が入れられたことにより指示情報が受け付けられたか否かを判定し、肯定判定となった場合にはステップ３０６に移行する一方、否定判定となった場合にはステップ３０８へ移行する。
【００６９】
ステップ３０６では、指示情報を二次記憶部１４Ｄの予め定められた記憶領域に記憶した後にステップ３０８に移行し、プリンタ１６による画像形成の開始を指示する画像形成開始指示情報の受け付け待ちを行う。受付装置１４Ｆによって画像形成開始指示情報が受け付けられると、上記ステップ３０８が肯定判定となって本第２の画像形成指示処理プログラムを終了する。
【００７０】
図１０には、上記ステップ３０８において受付装置１４Ｆによって画像形成開始指示情報が受け付けられた際にＣＰＵ１４Ａによって実行される第２の画像情報処理プログラムの処理の流れを示すフローチャートが示されている。
【００７１】
同図のステップ４００では、二次記憶部１４Ｄの予め定められた記憶領域に指示情報が記憶されているか否かを判定し、否定判定となった場合にステップ４０２に移行する一方、肯定判定となった場合にステップ４０４に移行する。
【００７２】
ステップ４０２では、二次記憶部１４Ｄの予め定められた記憶領域に記憶されている画像情報により示される画像のうちの被画像形成領域Ｓに含まれる画像情報を生成し、その後にステップ４０４に移行する。
【００７３】
ステップ４０４では、上記ステップ４００において否定判定となった場合、被画像形成領域Ｓの縦の長さに対する内側領域Ｒの縦の長さの割合を示す縦倍率と被画像形成領域Ｓの横の長さに対する内側領域Ｒの横の長さの割合を示す横倍率とを算出し、上記ステップ４００において肯定判定となった場合、二次記憶部１４Ｄの予め定められた記憶領域に記憶されている画像情報により示される画像の全体を含む予め定められた画像領域（ここでは、カット紙Ｐの外周縁で囲まれた領域）の縦の長さに対する内側領域Ｒの縦の長さの割合を示す縦倍率と予め定められた画像領域の横の長さに対する内側領域Ｒの横の長さの割合を示す横倍率とを算出し、その後にステップ４０６に移行する。
【００７４】
ステップ４０６では、上記ステップ４０４の処理によって算出された縦倍率及び横倍率において横倍率よりも縦倍率が小さいか否かを判定し、肯定判定となった場合にはステップ４０８に移行する一方、否定判定となった場合にはステップ４１０に移行する。
【００７５】
ステップ４０８では、上記ステップ４００において否定判定となった場合、上記ステップ４０２の処理によって生成された画像情報により示される画像が上記ステップ４０４の処理によって算出された縦倍率（上記ステップ４００において否定判定となった場合について算出された縦倍率）で拡大または縮小されるようにその画像情報を加工し、上記ステップ４００において肯定判定となった場合、二次記憶部１４Ｄの予め定められた記憶領域に記憶されている画像情報により示される画像が上記ステップ４０４の処理によって算出された縦倍率（上記ステップ４００において肯定判定となった場合について算出された縦倍率）で拡大または縮小されるようにその画像情報を加工する。
【００７６】
ステップ４１０では、上記ステップ４００において否定判定となった場合、上記ステップ４０２の処理によって生成された画像情報により示される画像が上記ステップ４０４の処理によって算出された横倍率（上記ステップ４００において否定判定となった場合について算出された横倍率）で拡大または縮小されるようにその画像情報を加工し、上記ステップ４００において肯定判定となった場合、二次記憶部１４Ｄの予め定められた記憶領域に記憶されている画像情報により示される画像が上記ステップ４０４の処理によって算出された横倍率（上記ステップ４００において肯定判定となった場合について算出された横倍率）で拡大または縮小されるようにその画像情報を加工する。
【００７７】
ステップ４０８及びステップ４１０の各々では、上記の処理を行った後、ステップ４１２に移行し、ステップ４０８またはステップ４１０の処理によって加工された画像情報を加工済み画像情報として二次記憶部１４Ｄの予め定められた記憶領域に記憶した後、ステップ４１４に移行する。
【００７８】
ステップ４１４では、プリンタ１６によってカット紙Ｐに画像を形成させるための準備の完了待ちを行った後、ステップ４１６に移行し、二次記憶部１４Ｄの予め定められた記憶領域に記憶されている加工済み画像情報をプリンタ１６に送信した後、本第２の画像情報処理プログラムを終了する。
【００７９】
プリンタ１６は、上記第２の画像情報処理プログラムにおける上記ステップ４１６の処理によって送信された加工済み画像情報を受信すると、受信した加工済み画像情報により示される画像をカット紙Ｐの内側領域Ｒに形成する。従って、図３に示すように端末装置１４で画像を作成し、上記ステップ４００の処理によって二次記憶部１４Ｄの予め定められた記憶領域に指示情報が記憶されていないと判定された場合（上記ステップ４００において否定判定となった場合）、プリンタ１６によってカット紙Ｐに画像が形成されると、このカット紙Ｐには、従来通り、図３に示すように、メインフレーム１２で作成して得られた画像のうち、内側領域Ｒに含まれる画像のみが現れる。
【００８０】
また、図３に示すように端末装置１４で画像を作成し、上記ステップ４００の処理によって二次記憶部１４Ｄの予め定められた記憶領域に記憶されていると判定された場合（上記ステップ４００において肯定判定となった場合）、プリンタ１６によってカット紙Ｐに画像が形成されると、このカット紙Ｐには、一例として図７に示すように、カット紙Ｐの外周縁で囲まれた領域（被画像形成領域Ｓ）に含まれる画像（ここでは、あ”との文字を示す画像及び縦長楕円を示す画像）の全体が内側領域Ｒに現れる。
【００８１】
また、図４に示すように端末装置１４で画像を作成し、上記ステップ４００の処理によって二次記憶部１４Ｄの予め定められた記憶領域に指示情報が記憶されていないと判定された場合、プリンタ１６によってカット紙Ｐに画像が形成されると、このカット紙Ｐには、一例として図１１に示すように、被画像形成領域Ｓに含まれる画像が予め定められた倍率（ここでは、縦倍率と横倍率とのうちの小さい方の倍率）で拡大されて内側領域Ｒに現れる。なお、図１１に示す例では、内側領域Ｒよりも内側に内側領域Ｒよりもサイズが小さな被画像形成領域Ｓが指定されているため、画像がカット紙Ｐに形成されると拡大されて現れているが、内側領域Ｒから食み出た内側領域Ｒよりもサイズが大きな被画像形成領域Ｓが指定されている場合には、画像がカット紙Ｐに形成されると縮小されて現れる。
【００８２】
［第２の実施形態］
上記第１の実施形態では、第１の画像形成指示処理がメインフレーム１２によって実行される場合及び第２の画像形成指示処理が端末装置１４によって実行される場合について説明したが、本第２の実施形態では、画像情報の加工を命令する第１の加工命令処理がメインフレーム１２によって実行される場合及び画像情報の加工を命令する第２の加工命令処理が端末装置１４によって実行される場合について説明する。なお、本第２の実施形態では、上記第１の実施形態と同一の構成については同一の符号を付してその説明を省略し、上記第１の実施形態と異なる点のみを説明する。
【００８３】
図１２は、端末装置１４に対して画像情報の加工を命令するための準備の指示がメインフレーム１２に対して行われた際にＣＰＵ１２Ａによって実行される第１の加工命令処理プログラムの処理の流れを示すフローチャートである。なお、本第１の加工命令処理プログラムは、図５に示す第１の画像形成指示処理プログラムに比べ、ステップ１０８に代えてステップ５００を適用した点、ステップ１１２に代えてステップ５０２を適用した点、及びステップ１１４に代えてステップ５０４を適用した点のみが異なっているので、以下では、図５に示す第１の画像形成指示処理プログラムと同一のステップについては同一のステップ番号を付してその説明を省略し、第１の画像形成指示処理プログラムと異なる点についてのみ説明する。
【００８４】
同図のステップ５００では、端末装置１４に対して画像情報の加工の開始を指示する加工開始指示情報の受け付け待ちを行う。受付装置１２Ｆによって加工開始指示情報が受け付けられると、上記ステップ５００が肯定判定となってステップ１１０に移行する。
【００８５】
ステップ５０２では、二次記憶部１２の予め定められた記憶領域から画像情報及び指示情報を取得してその記憶領域から画像情報及び指示情報を消去し、取得した画像情報及び指示情報を含んで構成された加工命令情報を端末装置１４に送信し、その後に本加工命令処理プログラムを終了する。
【００８６】
ステップ５０４では、二次記憶部１２の予め定められた記憶領域から画像情報を取得してその記憶領域から画像情報を消去し、取得した画像情報を含んで構成された加工命令情報を端末装置１４に送信し、その後に本加工命令処理プログラムを終了する。
【００８７】
図１３は、メインフレーム１２から送信された加工命令情報を受信した際にＣＰＵ１４Ａによって実行される第３の画像情報処理プログラムの処理の流れを示すフローチャートである。なお、本第３の画像情報処理プログラムは、図６に示す第１の画像情報処理プログラムに比べ、ステップ２１４を除いた点、新たにステップ６００、ステップ６０２、ステップ６０４、ステップ６０６、及びステップ６０８を追加した点のみが異なっているので、以下では、図６に示す第１の画像情報処理プログラムと同一のステップについては同一のステップ番号を付してその説明を省略し、第１の画像情報処理プログラムと異なる点についてのみ説明する。
【００８８】
同図のステップ２０２及びステップ２１２の各々において、上記第１の実施形態で説明した処理が終了すると、ステップ６００に移行し、二次記憶部１４Ｄの予め定められて記憶領域に記憶されている加工済み画像情報に基づいて、この加工済み画像情報により示される画像がプリンタ１６によってカット紙Ｐに形成された態様を表すイメージ画像（所謂印刷プレビュー）をメインフレーム１２の表示装置１２Ｅに表示させるためのイメージ画像情報を生成し、その後にステップ６０２に移行する。
【００８９】
ステップ６０２では、上記ステップ６００の処理によって生成されたイメージ画像情報をメインフレーム１２に送信し、次のステップ６０４にて、後述する確認処理プログラムがメインフレーム１２のＣＰＵ１２Ａによって実行されることによりメインフレーム１２から送信される許可情報を受信したか否かを判定し、肯定判定となった場合にはステップ２１６に移行する一方、否定判定となった場合にはステップ６０６に移行し、後述する確認処理プログラムがメインフレーム１２のＣＰＵ１２Ａによって実行されることによりメインフレーム１２から送信される禁止情報を受信したか否かを判定し、否定判定となった場合にはステップ６０４に戻る一方、肯定判定となった場合にはステップ６０８に移行し、二次記憶部１４Ｄの予め定められて記憶領域に記憶されている加工済み画像情報を消去した後、本第３の画像情報処理プログラムを終了する。
【００９０】
図１４は、メインフレーム１２の電源スイッチをオンにした際にＣＰＵ１２Ａによって実行される確認処理プログラムの処理の流れを示すフローチャートである。
【００９１】
同図のステップ６５０では、端末装置１４から送信されたイメージ画像情報の受信待ちを行う。ＣＰＵ１２Ａがイメージ画像情報を受信すると、上記ステップ６５０が肯定判定となってステップ６５２に移行する。
【００９２】
ステップ６５２では、上記ステップ６５０の処理によって受信されたイメージ画像情報により示されるイメージ画像が表示されるように表示装置１２Ｅを制御する。これによって、表示装置１２Ｅにはイメージ画像が表示される。
【００９３】
次のステップ６５４では、表示装置１２Ｅに表示されたイメージ画像に対応する画像が実際に現れるようにプリンタ１６によってカット紙Ｐに画像が形成されることを許可することを示す許可情報が受付装置１２Ｆによって受け付けられたか否かを判定し、肯定判定となった場合にはステップ６５６に移行し、上記ステップ６５４において受付装置１２Ｆによって受け付けられた許可情報を端末装置１４に送信した後、本確認処理プログラムを終了する。
【００９４】
一方、ステップ６５４において否定判定となった場合にはステップ６５８に移行し、プリンタ１６によるカット紙Ｐへの画像の形成を禁止することを示す禁止情報が受付装置１２Ｆによって受け付けられたか否かを判定し、否定判定となった場合にはステップ６５４に戻る一方、肯定判定となった場合にはステップ６６０に移行し、上記ステップ６５８において受付装置１２Ｆによって受け付けられた禁止情報を端末装置１４に送信した後、本確認処理プログラムを終了する。
【００９５】
次に、端末装置１４によって第２の加工命令処理が実行された場合について説明する。
【００９６】
図１５は、画像情報の加工を命令するための準備の指示が端末装置１４に対して行われた際にＣＰＵ１４Ａによって実行される第２の加工命令処理プログラムの処理の流れを示すフローチャートである。なお、本第２の加工命令処理プログラムは、図８に示す第２の画像形成指示処理プログラムに比べ、ステップ３０８に代えてステップ７００を適用した点のみが異なっているので、以下では、図８に示す第２の画像形成指示処理プログラムと同一のステップについては同一のステップ番号を付してその説明を省略し、第２の画像形成指示処理プログラムと異なる点についてのみ説明する。
【００９７】
同図のステップ７００では、画像情報の加工の開始を指示する加工開始指示情報の受け付け待ちを行う。受付装置１４Ｆによって加工開始指示情報が受け付けられると、上記ステップ７００が肯定判定となって本第２の加工命令処理プログラムを終了する。
【００９８】
図１６は、上記ステップ７００において受付装置１４Ｆによって加工開始指示情報が受け付けられた際にＣＰＵ１４Ａによって実行される第４の画像情報処理プログラムの処理の流れを示すフローチャートが示されている。なお、本第４の画像情報処理プログラムは、図１０に示す第２の画像情報処理プログラムに比べ、ステップ４１４を除いた点、新たにステップ７５０、ステップ７５２、ステップ７５４、ステップ７５６、及びステップ７５８を追加した点のみが異なっているので、以下では、図１０に示す第２の画像情報処理プログラムと同一のステップについては同一のステップ番号を付してその説明を省略し、第２の画像情報処理プログラムと異なる点についてのみ説明する。
【００９９】
同図のステップ４１２において、上記第１の実施形態で説明した処理が終了すると、ステップ７５０に移行し、二次記憶部１４Ｄの予め定められて記憶領域に記憶されている加工済み画像情報に基づいてイメージ画像情報を生成し、その後にステップ７５２に移行する。
【０１００】
ステップ７５２では、上記ステップ７５０の処理によって生成されたイメージ画像情報により示されるイメージ画像が表示されるように表示装置１４Ｅを制御する。これによって、表示装置１４Ｅにはイメージ画像が表示される。
【０１０１】
次のステップ７５４では、表示装置１４Ｅに表示されたイメージ画像で表されるようにプリンタ１６によってカット紙Ｐに画像が形成されることを許可することを示す許可情報が受付装置１４Ｆによって受け付けられたか否かを判定し、肯定判定となった場合にはステップ４１６に移行する一方、否定判定となった場合にはステップ７５６に移行し、プリンタ１６によるカット紙Ｐへの画像の形成を禁止することを示す禁止情報が受付装置１４Ｆによって受け付けられたか否かを判定し、否定判定となった場合にはステップ７５４に戻る一方、肯定判定となった場合にはステップ７５８に移行し、二次記憶部１４Ｄの予め定められて記憶領域に記憶されている加工済み画像情報を消去した後、本第４の画像情報処理プログラムを終了する。
【０１０２】
なお、上記各実施形態では、端末装置１４によって画像を作成する際に指定された被画像形成領域Ｓとして、カット紙Ｐの外周縁で囲まれた領域を採用した場合（図７参照）を例に挙げて説明したが、これに限らず、カット紙Ｐの外周縁と内側領域Ｒの外周縁との間に外周縁を有する被画像形成領域Ｓを採用してもよい。この場合、一例として図１７に示すように、端末装置１４によって被画像形成領域Ｓよりも内側に“あ”との文字を示す画像及び縦長楕円を示す画像が作成され、かつ全体出力指示チェックボックスにチェック印が入れられた場合、カット紙Ｐの外周縁に含まれる画像の全体が内側領域Ｒに形成される。また、全体出力指示チェックボックスにチェック印が入れられていない場合、被画像形成領域Ｓのうちの内側領域Ｒに対応する対応領域に含まれる画像がプリンタ１６によってカット紙Ｐの内側領域Ｒに形成される。
【０１０３】
また、上記各実施形態に係る画像形成システム１０によれば、プリンタ１６によって画像が形成されるカット紙Ｐにおける画像が形成されない周縁部Ｑに外縁が重ねられるように被画像形成領域Ｓが指定された上で端末装置１４によって被画像形成領域Ｓから画像の一部が食み出るように画像が作成され、かつ全体出力指示チェックボックスにチェック印が入れられた場合、作成されて得られた画像がプリンタ１６によってカット紙Ｐにおける周縁部Ｑによって欠落しないように内側領域Ｒに形成される。
【０１０４】
また、上記各実施形態では、カット紙Ｐの外周縁で囲まれた領域の縦の長さに対する内側領域Ｒの縦の長さの割合を示す縦倍率とカット紙Ｐの外周縁で囲まれた領域の横の長さに対する内側領域Ｒの横の長さの割合を示す横倍率とを算出する場合の形態例を挙げて説明したが、これに限らず、例えば、メインフレーム１２又は端末装置１４によって作成された画像の全体を取り囲む矩形領域の縦の長さに対する内側領域Ｒの縦の長さの割合を示す縦倍率とこの矩形領域の横の長さに対する内側領域Ｒの横の長さの割合を示す横倍率とを算出してもよい。また、画像の全体を取り囲む領域は矩形領域に限らず、円形領域や矩形以外の多角形領域などの画像の全体を取り囲む幾何学形状領域であれば如何なる領域であってもよい。なお、画像の全体を取り囲む幾何学形状領域を作成する方法としては、例えば、端末装置１４によって作成された画像の輪郭に接する接線を組み合わせて１つの閉じられた領域を作成する方法や、その接線とカット紙Ｐの外周縁とを組み合わせて１つの閉じられた領域を作成する方法が挙げられる。
【０１０５】
また、上記各実施形態では、メインフレーム１２又は端末装置１４によって作成された画像の全体をプリンタ１６によってカット紙Ｐの内側領域Ｒに収まるように形成させるか否かを指示情報の有無によって決定しているが、これに限らず、予め定められた条件（例えば、予め定められた時間帯である、との条件や、プリンタ１６による画像形成の指示が特定の利用者によって行われた、との条件）を満足した場合、メインフレーム１２又は端末装置１４によって作成された画像の全体をプリンタ１６によってカット紙Ｐの内側領域Ｒに収まるように形成させるようにしてもよい。
【０１０６】
また、上記各実施形態では、カット紙Ｐの周縁部Ｑを示す周縁部情報が端末装置１４のＲＯＭ１４Ｂに予め記憶されている場合の形態例を挙げて説明したが、これに限らず、端末装置１４の二次記憶部１４Ｄに予め記憶されていてもよい。また、端末装置１４の外部の記憶媒体に予め記憶しておいて、必要に応じてその記憶媒体から取得するようにしてもよい。例えば、周縁部情報をプリンタ１６のＲＯＭ１６Ｂ又は二次記憶部１６Ｄに記憶しておき、端末装置１４からの要求に応じてプリンタ１６がＲＯＭ１６Ｂ又は二次記憶部１６Ｄから周縁部情報を読み出して端末装置１４に送信し、端末装置１４がプリンタ１６から送信された周縁部情報を受信して二次記憶部１４Ｄに記憶するという形態例が挙げられる。
【０１０７】
また、上記各実施形態では、各種処理プログラムがＲＯＭに予め記憶されているが、これに限らず、各種処理プログラムをＣＤ−ＲＯＭやＤＶＤ−ＲＯＭ、ＵＳＢ（Universal Serial Bus）メモリなどのコンピュータによって読み取られる記憶媒体に格納した状態で提供する形態を適用しても良いし、有線又は無線による通信手段を介して配信する形態を適用しても良い。
【符号の説明】
【０１０８】
１０  画像形成システム
１２  メインフレーム
１２Ａ，１４Ａ  ＣＰＵ
１２Ｅ，１４Ｅ  表示装置
１２Ｆ，１４Ｆ  受付装置
１４  端末装置
１４Ｄ  二次記憶部
１６  プリンタ
【図１】
0005659700.tif 000002
【図２】
0005659700.tif 000003
【図３】
0005659700.tif 000004
【図４】
0005659700.tif 000005
【図５】
0005659700.tif 000006
【図６】
0005659700.tif 000007
【図７】
0005659700.tif 000008
【図８】
0005659700.tif 000009
【図９】
0005659700.tif 000010
【図１０】
0005659700.tif 000011
【図１１】
0005659700.tif 000012
【図１２】
0005659700.tif 000013
【図１３】
0005659700.tif 000014
【図１４】
0005659700.tif 000015
【図１５】
0005659700.tif 000016
【図１６】
0005659700.tif 000017
【図１７】
0005659700.tif 000018